(57)【要約】【課題】ラベルシートに一定の粘着力を有する粘着剤を全面的に塗着しながら、その接着に有効な粘着剤の塗着面を顧客らの要求に応じて制限し、ラベルシートの接着性及び接着後における剥離性を調整したラベルを提供する。【解決手段】ラベルシート２の裏面に一定の粘着力を有する粘着剤４を塗着すると共に、該粘着剤の塗着面に離型シート３を貼り付け、該離型シートに、ラベルシートを対象物面に接着するに際して剥離すべき剥離部３ａと、該ラベルシートの剥離性を調整するために残す非剥離部３ｂとを、それらの間に切断用切れ目６を付することにより形成する。離型シートに上記切断用切れ目を付するに当たり、ラベルシートの全面積に対する上記離型シートの剥離部の面積割合及び配設部位を調整して、対象物面に接着するラベルシートの接着性及び剥離性を任意に設定する。【選択図】図１
2015000563.tif 000002
【特許請求の範囲】
【請求項１】
対象物面に接着するラベルシートの裏面に一定の粘着力を有する粘着剤を全面に塗着すると共に、該粘着剤の塗着面に離型シートを貼り付けたラベルシートを、上記対象物面に対する接着性及び該対象物面に接着した後における剥離性を調整したラベルとして製造する方法であって、
上記離型シートに、上記ラベルシートを対象物面に接着するに際して剥離すべき剥離部と、該ラベルシートを対象物面から剥離する際の剥離性を調整するために残す非剥離部とを、それらの間に切断用切れ目を付することにより形成し、
該離型シートの剥離部は、それを剥離して上記ラベルシートを対象物面に接着したときに、少なくとも該ラベルシートの周辺が対象物面から浮上しない範囲において、該ラベルシートの周辺に配設されているものとし、
上記切断用切れ目を付するに当たり、ラベルシートの全面積に対する上記離型シートの剥離部の面積割合及び配設部位を調整して、対象物面に接着するラベルシートの接着性及び剥離性を任意に設定する、
ことを特徴とする接着・剥離性を調整したラベルの製造方法。
【請求項２】
対象物面に接着するラベルシートの裏面に一定の粘着力を有する粘着剤を全面に塗着すると共に、該粘着剤の塗着面に離型シートを貼り付けたラベルにおいて、
上記離型シートに、上記ラベルシートを対象物面に接着するに際して剥離すべき剥離部と、該ラベルシートを対象物面から剥離する際の剥離性を調整するために残す非剥離部とを、それらの間に切断用切れ目を付することにより区分して形成し、
該離型シートの剥離部は、それを剥離して上記ラベルシートを対象物面に接着したときに、少なくとも該ラベルシートの周辺が対象物面から浮上しない範囲において、該ラベルシートの周辺に配設されているものとし、
上記離型シートの剥離部は、ラベルシートの全面積に対する該剥離部の面積割合及び配設部位を調整して、対象物面に接着するラベルシートの接着性及び剥離性が調整されている、
ことを特徴とする接着・剥離性を調整したラベル。
【請求項３】
上記ラベルシートの多数を一方向に並べて切断線を介して連接することにより一連の帯状に形成すると共に、上記連接したラベルシートに塗着した粘着剤で貼り付ける離型シートが、それらの剥離部同士が帯状をなすラベルシートの長手方向に相互に連接されたものとして構成され、それらの非剥離部同士が相互に切断線を介して連接されている、
ことを特徴とする請求項２に記載の接着・剥離性を調整したラベル。
【請求項４】
少なくとも上記ラベルシートの外周を囲むように上記離型シートの剥離部が形成され、その内側に単一又は複数の非剥離部が形成されている、
ことを特徴とする請求項２に記載の接着・剥離性を調整したラベル。
【請求項５】
対象物面に接着したラベルシートの剥離時に巻き癖が生じるのをなくしたい部位を、その裏面に、少なくとも巻き癖をなくしたい面積の上記離型シートの非剥離部を設けたものとして構成している、
ことを特徴とする請求項２〜４のいずれかに記載の接着・剥離性を調整したラベル。
【発明の詳細な説明】
【技術分野】
【０００１】
本発明は、接着対象物面に対する接着性及び該対象物面に接着した後における剥離性、即ち、ラベル全体としての接着力等の接着性や、接着したラベルの剥離態様の差異等の接着性を調整したラベルの製造方法、及び該方法により製造されたところの接着性や剥離性が調整されたラベルに関するものである。
【背景技術】
【０００２】
従来から、ラベルシートの裏面に粘着剤を塗着すると共に、該粘着剤の塗着面に離型シートを貼り付けてその塗着面を保護するようにしたラベルは、ここに当該技術に関する特許文献等を例示するまでもなく、極めて一般的に知られている。
【０００３】
各種用途に用いられるこの種ラベルシートには、その用途に応じて、対象物面に対する接着性、或いは接着後の剥離性に関して種々の要求があり、例えば、商品等の包装用容器等に接着される配送用のラベルシートには、個人情報の記載があることが多く、そのために配送後におけるその包装用容器等の再利用や廃棄処分に際しては、それに接着されているラベルシートを比較的容易に剥離して別途廃棄できることが要求され、また、例えば、値段を表示したラベルシートを接着している商品を贈答用とするときには、そのラベルシートを剥離することが要求されるため、容易に跡形無く剥離できることが望まれる。
【０００４】
一方、例えば、各種製品の包装用容器には、収納した製品の型番その他の固有の情報を表示したラベルシートを接着することが多いが、これらのラベルシートは、収納した製品の仕様等の詳細を表示するものである場合には、通常、強固に接着できて簡単に剥離できないことが要求される。
更に、ある種のラベルシートでは、接着対象物面に接着してその上の記載事項を配送等のための情報として利用した後に、配送者がそのラベルシートを剥離して配送記録として持ち帰り、必要に応じて、該ラベルシートにバーコード等で表示された情報を読み出す必要があることもあり、この場合には、接着されたラベルシートを容易に剥離できるばかりでなく、それに、剥離に伴って丸くなる巻き癖が付くのを抑制することも要求される。
【０００５】
即ち、対象物面に接着したラベルシートを剥離する場合、特にそのラベルシートが紙であるとき、その剥離の操作に伴って対象物面から離脱しようとするラベルシートは、剥離時に対象物面から起立して折り曲げられるような状態になり、その際、接着されていてる面側の微小部位の紙等の繊維が、そこに作用する剥離力によって伸長ないし切断され、それが該微小部位に付着している粘着剤によって変形状態に保持されることになり、その繰り返しにより、結果的には、剥離したラベルシートが丸められた状態の巻き癖が付くことになる。そして、この状態では、該ラベルシートに表示されたバーコード等による情報を機械的に読み出すことは非常に困難であり、また、丸められたラベルシートを保管しておくことも困難であり、このような場合には、剥離したラベルシートに巻き癖が付くのを可及的に少なくることが要求される。
【０００６】
このような問題を解決するためには、ラベルシートの用途毎に、顧客の要求を満たすような粘着性をもつ粘着剤とそれに適した用紙を用いればよいが、その場合には、多種多様な用紙と多種多様な粘着剤を用意して、それらを組み合わせ使用する必要があり、それによって小ロットのラベルを製造する度に用紙及び／又は粘着剤の変更を行う必要が生じ、非常に生産性がよくない製造工程を強いられることにもなる。
【発明の概要】
【発明が解決しようとする課題】
【０００７】
本発明は、上述した問題を解決しようとするもので、その技術的課題は、対象物面に接着するラベルシートに一定の粘着力を有する粘着剤を全面的に塗着して、該粘着剤の塗着面に離型シートを貼り付けた既知の形態のラベルを用いながら、該ラベルを対象物面に接着する際に、その接着に有効に利用される粘着剤の塗着面を、顧客らの要求に応じて制限し、結果的に、粘着力が一定の粘着剤を用いながらも、接着性を広範囲に変えたラベルを形成できると共に、接着したラベルの剥離態様の差異等の剥離性を調整できるようにしたラベルの製造方法、及び該方法により製造されたところの接着・剥離性が調整されたラベルを提供することにある。
【０００８】
また、本発明の他の技術的課題は、対象物面に接着した既知のラベルシートは、それを剥離する際に巻き癖が残るという問題を解決し、該ラベルシートが丸められるのを抑制して可及的に平面化できるようにしたところの接着・剥離性が調整されたラベルを提供することにある。
【課題を解決するための手段】
【０００９】
上記課題を解決するため、本発明によれば、対象物面に接着するラベルシートの裏面に一定の粘着力を有する粘着剤を全面に塗着すると共に、該粘着剤の塗着面に離型シートを貼り付けたラベルシートを、上記対象物面に対する接着性及び該対称面に接着した後における剥離性を調整したラベルとして製造する方法であって、上記離型シートに、上記ラベルシートを対象物面に接着するに際して剥離すべき剥離部と、該ラベルシートを対象物面から剥離する際の剥離性を調整するために残す非剥離部とを、それらの間に切断用切れ目を付することにより形成し、該離型シートの剥離部は、それを剥離して上記ラベルシートを対象物面に接着したときに、少なくとも該ラベルシートの周辺が対象物面から浮上しない範囲において、該ラベルシートの周辺に配設されているものとし、上記切断用切れ目を付するに当たり、ラベルシートの全面積に対する上記離型シートの剥離部の面積割合及び配設部位を調整して、対象物面に接着するラベルシートの接着性及び剥離性を任意に設定することを特徴とする接着・剥離性を調整したラベルの製造方法が提供される。
【００１０】
また、上記課題を解決するため、本発明によれば、対象物面に接着するラベルシートの裏面に一定の粘着力を有する粘着剤を全面に塗着すると共に、該粘着剤の塗着面に離型シートを貼り付けたラベルにおいて、上記離型シートに、上記ラベルシートを対象物面に接着するに際して剥離すべき剥離部と、該ラベルシートを対象物面から剥離する際の剥離性を調整するために残す非剥離部とを、それらの間に切断用切れ目を付することにより区分して形成し、該離型シートの剥離部は、それを剥離して上記ラベルシートを対象物面に接着したときに、少なくとも該ラベルシートの周辺が対象物面から浮上しない範囲において、該ラベルシートの周辺に配設されているものとし、上記離型シートの剥離部は、ラベルシートの全面積に対する該剥離部の面積割合及び配設部位を調整して、対象物面に接着するラベルシートの接着性及び剥離性が調整されていることを特徴とする接着・剥離性を調整したラベルが提供される。
【００１１】
上記構成を有するラベルの製造方法、及び該方法により得られるラベルによれば、上記切断用切れ目を付するに当たり、ラベルシートの全面積に対する上記離型シートの剥離部の面積割合を調整し、具体的には、該離型シートの剥離部を大きくし、それにより非剥離部を小さくして、ラベルシートの全面積に対する有効な接着部分面積を大きくすることにより、ラベルシートの全体的な接着力を大きくし、また、逆に、上記離型シートの剥離部を小さくし、それにより非剥離部を大きくして、全体的な接着力を小さくすることができる。即ち、基本的には、対象物面に接着するラベルシートの剥離性が上記切断用切れ目の位置によって決まる剥離部と非剥離部との面積割合により調整される。
【００１２】
更に、上記離型シートの剥離部の配設部位を調整し、例えば、ラベルシートの周辺部には面積的に小さい剥離部を配置し、中央部には大面積の剥離部を配置するようにして、上記切断用切れ目を付す位置を設定すれば、上記周辺部が剥離しやすくなり、中央部が剥離しにくい状態になるので、そのラベルシートの周辺部を起こして剥離のための摘み部分を比較的容易に形成できるが、ラベルシートの全体は大きな接着力で接着されているので、簡易に剥離されてしまうことがない状態に形成される。逆に、ラベルシートの周辺部の剥離部を面積的に大きいものとし、中央部には小さい面積の剥離部を配置するように上記切断用切れ目を付す位置を設定すれば、上記周辺部が剥離しにくくなるが、中央部は剥離しやすいので、周辺部の一部が剥離されればその後は比較的剥離しやすくなる。
つまり、上記離型シートの剥離部の配設部位の調整により、対象物面に対して接着するラベルシートの剥離性を種々の態様に設定することができる。
【００１３】
上記本発明に係るラベルの好ましい実施形態においては、上記ラベルシートの多数を一方向に並べて切断線を介して連接することにより一連の帯状に形成すると共に、上記連接したラベルシートに塗着した粘着剤で貼り付ける離型シートが、それらの剥離部同士が帯状をなすラベルシートの長手方向に相互に連接されたものとして構成され、それらの非剥離部同士が相互に切断線を介して連接される。
前記ラベルをこのように構成すると、一連の帯状に形成したラベルシートを、対象物面に対して機械的に連続して接着するに際し、離型シートにおける剥離部を連続的に剥離させながら、切断線を介して連接されたラベルシートを順次切り取り、それを接着することができる。
【００１４】
本発明に係るラベルの他の好ましい実施形態においては、少なくとも上記ラベルシートの外周を囲むように上記離型シートの剥離部が形成され、その内側に単一又は複数の非剥離部が形成されたものとして構成される。
上記ラベルをこのように構成すると、対象物面に接着したラベルシートの周辺部が比較的剥がれにくく、対象物に対してラベルシートを安定した貼着状態に保持することができるが、中央部は剥離部の面積割合を自由に調整できて接着強度を自由に設定でき、そのため、周辺部の一部さえ剥離すれば、中央部は比較的剥離しやすくするなど、接着力を自由に調整し、剥離性を簡易に調整したラベルを得ることができる。
【００１５】
また、本発明に係るラベルの他の好ましい実施形態においては、対象物面に接着したラベルシートの剥離時に巻き癖が生じるのをなくしたい部位が、その裏面に、少なくとも巻き癖をなくしたい面積の上記離型シートの非剥離部を設けたものとして構成される。
対象物面に接着してそれに記載の情報を利用したラベルシートは、それを剥離して保管したり、それにバーコード等で表示された情報を読み出す場合、前述したように、巻き癖が付くのを抑制する必要があり、この場合には、上記のように、剥離したラベルシートにおける巻き癖が生じるのをなくしたい部位の全体の裏面に、離型シートの非剥離部を貼り付けたままにしておくことにより、剥離したラベルシートに巻き癖が付くのを可及的に少なくすることができる。
【発明の効果】
【００１６】
以上に詳述した本発明に係るラベルの製造方法、及びそれによって製造されたラベルによれば、対象物面に接着するラベルシートに一定の粘着力を有する粘着剤を全面的に塗着して、該粘着剤の塗着面に離型シートを貼り付けた既知の形態のラベルを用いながら、該ラベルを対象物面に接着する際に、その接着に有効に利用される粘着剤の塗着面を、顧客らの要求に応じて制限し、結果的に、粘着力が一定の粘着剤を用いながらも、接着力を広範囲に変えたラベルを形成できると共に、接着したラベルの剥離態様の差異等の剥離性を調整することができ、また、対象物面に接着したラベルシートにその剥離に際し巻き癖が付くという問題も解決し、剥離した該ラベルシートを可及的に平面化できるようにしたラベルを提供することができる。
【図面の簡単な説明】
【００１７】
【図１】本発明に係るラベルの第１実施例を、一部の剥離部３ａを剥離して示す斜視図である。
【図２】（Ａ）〜（Ｈ）は、本発明に係るラベルの第１実施例の各種変形例を例示する平面図である。
【図３】（Ａ）及び（Ｂ）は、本発明に係るラベルの切断用切れ目を異にする第２実施例の要部平面図である。
【発明を実施するための形態】
【００１８】
以下において、本発明に係る接着・剥離性を調整したラベル及びその製造方法の実施例について、具体的に説明する。
図１は、上記ラベルの実施の一例を示すもので、このラベル１は、ラベルシート２の裏面に一定の粘着力を有する粘着剤４を全面に塗着すると共に、該粘着剤４の塗着面に離型シート３を貼り付けて、塗着した粘着剤４を覆うことにより形成したものであるが、上記離型シート３は、ラベルシート２を対象物面に接着する際の接着性及び該対象面に接着した後における該ラベルシート２の剥離性を調整するため、対象物面への接着時に剥離すべき剥離部３ａと剥離しない非剥離部３ｂとを、それらの間に切断用切れ目６を付することにより区分して形成している。
【００１９】
なお、上記切断用切れ目６は、上記剥離部３ａと非剥離部３ｂとの間が完全に切れているものであっても、或いは、両者が遊動しない範囲において部分的に連結されたものであってもよい。また、上記切断用切れ目６は、ラベルの製造に際して、ラベルシート２に対して離型シート３を接着した後に、切断刃により離型シート３のみに切れ目を入れるのが通例であるが、必ずしもそれに限るものではない。
【００２０】
上記離型シート３の剥離部３ａは、ラベルシート２を対象物面に接着する際に該ラベルシート２から剥離する部分であり、そのため、該ラベルシート２はそれに塗着した粘着剤４で対象物面に貼り付けられ、ラベルシート２における該剥離部３ａが接着されていた部位の粘着剤４は、その粘着剤４が本来有している粘着力とそれを剥離部３ａの剥離により露出させた面積との積に比例する接着力で、対象物面に対するラベルシート２の接着に有効に機能する。しかしながら、上記離型シート３の非剥離部３ｂは、ラベルシート２を対象物面に接着する際に該ラベルシート２から剥離しない部位であることから、該離型シート３の非剥離部３ｂで覆われていた部位のラベルシート２に塗着されていた粘着剤４は、対象物面に対するラベルシート２の接着に何ら寄与するところが無く、対象物面に対するラベルシート２の接着力と剥離特性を調整する機能を持つことになる。
【００２１】
従って、対象物面に接着するラベルシート２の裏面に一定の粘着力を有する粘着剤４を全面的に塗着しながらも、ラベルシート２上における剥離部３ａと非剥離部３ｂとの分布を適切に設定することにより、接着後に剥離する必要があるラベルの接着性及び接着後の剥離性を自由に調整することができ、つまり、使用後の剥離を必要とするラベルにおける接着力を剥離部３ａの面積により調整し、また、剥離部３ａと非剥離部３ｂとの分布により異なる剥離特性を有するラベルを得ることができる。
【００２２】
上記離型シート３に切断用切れ目６を付する態様について更に具体的に説明すると、ラベルシート２の全面積に対する上記離型シート３の剥離部３ａの面積割合を調整し、具体的には、図２の（Ａ）に示す上記第１実施例と同形の切断用切れ目６を付する場合に比して、同図（Ｂ）或いは（Ｃ）に示すように、該離型シート３の剥離部３ａの面積を大きくし、それにより非剥離部３ｂの面積を小さくして、ラベルシート２の全面積に対する有効な接着部分面積を大きくすると、ラベルシート２の全体的な接着力は大きくなり、また、逆に上記図２の（Ａ）のように、離型シート３の剥離部３ａを小さくし、それにより非剥離部３ｂの面積を大きくすると、全体的な接着力を小さくすることができる。即ち、基本的には、対象物面に接着するラベルシート２の接着性が、上記切断用切れ目６の位置によって決まる剥離部３ａと非剥離部３ｂとの面積割合により調整される。
【００２３】
また、上記離型シート３の剥離部３ａは、ラベルシート２に対する配設部位を調整して、対象物面に接着するラベルシート２の剥離性、つまり、接着したラベルシートの剥離態様の差異等を調整することができる。例えば、図２の（Ｂ）（Ｃ）の場合に比して、同図の（Ａ）のように、ラベルシート２の周辺部に面積的に小さい剥離部３ａを配置するようにして切断用切れ目６を付した場合、上記周辺部が剥離しやすくなり、そして、この場合にラベルシート２の中央部の剥離部３ａを大きくして該部の接着力を大きくしておけば、上述のように、そのラベルシート２の周辺部を起こして剥離のための摘み部分を比較的容易に形成できるが、ラベルシート２の全体は大きな接着力で接着されているので、剥離は可能であるが簡易に剥離されてしまうことがない状態に形成される。
【００２４】
逆に、ラベルシートの周辺部の剥離部３ａを面積的に大きいものとし、中央部には小さい面積の剥離部３ａを配置すれば、上記周辺部が剥離しにくくなるが、中央部は剥離しやすいので、周辺部の一部が剥離されればその後は比較的剥離しやすくなり、その剥離に伴って該中央部に付く前述した巻き癖を軽微なものとすることができる。即ち、上記剥離部３ａ及び非剥離部３ｂの大きさ及び配設部位を調整することにより、対象物面に対して接着したラベルシート２の剥離性を種々の態様に設定することができる。
【００２５】
図２の（Ｆ）は、対象物面に接着したラベルシート２の剥離時に巻き癖が生じるのをなくしたい部位を、その裏面に、少なくとも巻き癖をなくしたい面積の上記離型シート３の非剥離部３ｄを設けたものとして構成したラベルを示している。その他の構成は他のラベルと変わるところがない。
前述のように、対象物面に接着したラベルシートに記載の情報を利用した後、それを剥離して保管したり、それにバーコード等で表示された情報を読み出す場合、少なくともその情報の表示部位に上記剥離に伴う巻き癖が付くのを抑制する必要があるが、上記のように、巻き癖をなくしたい部位の裏面に非剥離部３ｄを設けておくと、剥離したラベルシートに巻き癖が付くのを可及的に少なくすることができる。
【００２６】
上記離型シート３の剥離部３ａは、それを剥離してラベルシート２を対象物面に接着したときに、少なくとも該ラベルシート２の周辺が対象物面から浮上しない範囲において該周辺部分に密に配設されているものとする必要があり、さもないと、特に剥離部３ａの面積を比較的大きくしたときには、対象物面に接着しているラベルに他物が接触したときなどにそれが剥がれ落ちる虞がある。
【００２７】
しかしながら、必ずしも図１の第１実施例のようにラベルシート２の全周辺を囲むように剥離部３ａを配設する必要はなく、例えば、図２の（Ｄ）に示すように、ラベルシート２の剥離を容易にするために、該ラベルシート２に貼り付ける離型シート３の非剥離部３ｂの一部をラベルシート２の周辺にまで達するようにしておくことができ、或いは、図２の（Ｅ）に示すように、ラベルシート２の周辺の一部に、簡単な剥離具または爪の先で起こしやすいような非剥離部３ｃを別途設けておくこともできる。
【００２８】
更に、図２の（Ｇ）は、同（Ｈ）の例に比して、非剥離部３ｂを微小間隔を置いて配置し、それによって、接着力が有効に作用する剥離部３ａの領域を分散させている。そのため、上記（Ｈ）の場合が全面的に接着力を低下させているのに対し、ラベルシート２の全体に低下した接着力が分散した状態にあり、また、非剥離部３ｂの数または間隔を調整することにより、接着力を広い範囲で調整することができる。
【００２９】
また、図３の（Ａ）は、上記第１実施例のラベル１の多数を連接した状態に構成した第２実施例を、また、同図の（Ｂ）は、切断用切れ目６の形態を異にする他のラベルの多数を連接した状態に構成した第２実施例の変形例を示すもので、多数のラベルを貼着すべき対象物面に、同種のラベルシート２を機械的、連続的に多数貼着する場合に適するものである。
これらは、上記ラベルシート２の多数を一方向に並べて切断線８を介して連接することにより一連の帯状に形成すると共に、上記連接したラベルシート２に塗着した粘着剤で貼り付ける離型シート３が、それらの剥離部３ａ同士が帯状をなすラベルシート２の長手方向に相互に連接されたものとして構成される。なお、一連の帯状に連接されたラベルシート２に貼り付けている離型シート３の非剥離部３ｂ同士が、帯状をなすラベルシート２の長手方向に相互に連接されている場合（例えば、図３の（Ｂ）参照）には、それらの非剥離部３ｂ同士も相互に切断線を介して連接される。
【００３０】
上記ラベルをこのように構成すると、一連の帯状に形成したラベルシート２を、対象物面に対して機械的に連続して接着するに際し、離型シート３における剥離部３ａを連続的に剥離させながら、切断線８を介して連接されたラベルシート２を順次切り取り、それらを順次接着することができる。
【００３１】
また、本発明に係る上記ラベルの製造に際しては、対象物面に接着するラベルシート２の裏面に一定の粘着力を有する粘着剤４を全面に塗着すると共に、該粘着剤４の塗着面に離型シート３を貼り付けたラベルシートを予め用意しておき、顧客からの要求に応じて、その離型シート３に所期の機能を持つように形成したパターンの切断用切れ目６を付して提供すればよく、粘着力が一定の粘着剤を用いながらも、接着性や剥離性を広範囲に変えたラベルを簡易に需要者に提供することができる。
【符号の説明】
【００３２】
１    ラベル
２    ラベルシート
３    離型シート
３ａ    剥離部
３ｂ，３ｃ，３ｄ    非剥離部
４    粘着剤
６    切断用切れ目
【図１】
2015000563.tif 000003
【図２】
2015000563.tif 000004
【図３】
2015000563.tif 000005